(57)【要約】本開示は、カバー部分、細長い布、第１の結合機構、および第２の結合機構を含む保護カバーを、提供する。カバー部分はシートクッション用である。細長い布がカバー部分から伸びる。第１の結合機構は、カバー部分を細長い布の第１の端部に結合する。第２の結合機構は、カバー部分を細長い布の第２の端部に結合するように構成される。【選択図】図１Ａ
2021524796.tif 000002
【特許請求の範囲】
【請求項１】
保護カバーであって、
シートクッションのカバー部分と、
前記カバー部分から伸びる細長い布と、
前記カバー部分を前記細長い布の第１の端部に結合するように構成された第１の結合機構と、
前記カバー部分を前記細長い布の第２の端部に結合するように構成された第２の結合機構と、
を備えた、保護カバー。
【請求項２】
前記第１の結合機構は、オスおよびメスコネクタ、面ファスナー、ベルクロ、接着要素、縫い付けられた縫い目、磁石、およびジッパーのうちの少なくとも１つを備えた、請求項１に記載の保護カバー。
【請求項３】
ハンドルをさらに備え、
前記ハンドルが、前記細長い布の前記第２の端部に近接して配置された、請求項１に記載の保護カバー。
【請求項４】
前記第２の結合機構は、
前記細長い布の前記第２の端部に取り付けられ、強磁性材料からなるロッドと、
前記カバー部分に取り付けられた少なくとも１つの磁石であって、前記細長い布が前記カバー部分の周りに第１の方向に巻き付けられたときに前記カバー部分に配置され前記ロッドに対応する少なくとも１つの磁石と、
を備えた、請求項１に記載の保護カバー。
【請求項５】
前記磁石および前記ロッドは、前記カバー部分、前記クッション、および第２のクッションの重力重量よりも強い磁力を提供する、請求項４に記載の保護カバー。
【請求項６】
カバー部分がクッションを受け入れるように構成された、請求項１に記載の保護カバー。
【請求項７】
前記細長いカバーの長さは、前記カバー部分が前記クッションおよび第２のクッションを受け取ったときに前記カバー部分の両方を包むのに十分である、請求項６に記載の保護カバー。
【請求項８】
前記保護カバーが耐候性合成材料からなる、請求項１に記載の保護カバー。
【請求項９】
前記第１の結合機構がジッパーを備え、前記第２の結合機構がベルクロを備えた、請求項１に記載の保護カバー。
【請求項１０】
椅子システムであって、
背もたれ部分とシート部分とを備えた椅子と、
シートクッションと、
背もたれクッションと、
保護カバーと、
を備え、
前記保護カバーは、
シートクッション用のカバー部分と、
前記カバー部分から伸びる細長い布と、
前記カバー部分の第１の端部を前記細長い布の第１の端部に結合するように構成された第１の結合機構と、
前記カバー部分の第２の端部を前記細長い布の第２の端部に結合するように構成された第２の結合機構と、
を備えた、椅子システム。
【請求項１１】
前記第１の結合機構がジッパーを含み、前記第２の結合機構がベルクロを含む、請求項１０に記載の椅子システム。
【請求項１２】
前記第２の結合機構が、前記細長い布の前記第２の端部にあるロッドと、前記カバーの前記第２の端部にある少なくとも１つの磁石とを備えた、請求項１０に記載の椅子システム。
【請求項１３】
前記磁石および前記ロッドは、前記カバー部分、前記クッション、および第２のクッションの重力重量よりも強い磁力を提供する、請求項１２に記載の椅子システム。
【請求項１４】
前記カバー部分は、第１のクッションを受け入れるように構成された、請求項１０に記載の椅子システム。
【請求項１５】
前記細長いカバーの長さは、前記カバー部分が前記第１のクッションを受け取ったときに、第２のクッションおよび前記カバー部分の両方を包むのに十分である、請求項１４に記載の椅子システム。
【請求項１６】
前記第１の結合機構は、オスおよびメスコネクタ、面ファスナー、ベルクロ、接着要素、縫い付けられた縫い目、およびジッパーのうちの少なくとも１つを備えた、請求項１０に記載の椅子システム。
【請求項１７】
前記保護カバーは、さらにハンドルを備え、前記ハンドルは、前記細長い布の前記第２の端部に近接して配置された、請求項１０に記載の椅子システム。
【請求項１８】
前記椅子システムは、前記カバー部分に取り付けられた少なくとも１つの磁石をさらに含み、前記細長い布が前記カバー部分の周りに第１の方向に巻き付けられたときに、前記少なくとも１つの磁石は、前記カバー部分の上に配置されて前記ロッドに対応する、請求項１１に記載の椅子システム
【請求項１９】
保護カバーが、耐候性合成材料を含む、請求項１０に記載の椅子システム。
【請求項２０】
前記保護カバーおよび前記背もたれ部分は、第３の結合機構と取り外し可能に結合するようにさらに構成された、請求項１０に記載の椅子システム。
【発明の詳細な説明】
【技術分野】
【０００１】
この出願は、２０１８年５月１４日に提出された「屋外装置および一体型保護カバー」と題された３５ＵＳＣ§１１９の下での米国仮出願第６２／６７１、３４７号に基づく優先権を主張する。この出願の内容は、参照によりその全体が本明細書に組み込まれている。
【０００２】
本開示は、椅子の保護カバーに関する。
【背景技術】
【０００３】
屋外用家具に対する消費者の需要はかつてないほど高くなっている。屋外用家具は、米国で年間９０億ドルのビジネスであり、家具市場で最も急速に成長しているカテゴリーの１つである。２０１７年に米国で建てられたすべての新しい一戸建て住宅の９２％には、パティオ（テラス）、ポーチ（ベランダ、縁側）、またはデッキがある。アメリカ建築家協会によると、「屋外の居間」は、過去６年連続でホームオフィスを超えた、要望の高い専門の部屋である。
【０００４】
屋外用家具は、他のほとんどの家具よりもはるかに極端な環境条件の影響を受ける。これらの条件には、高温と低温、極端な温度の間での循環、湿度、極端に乾燥した空気、雨、雪、みぞれ、他の降雨、氷、風、太陽からの紫外線照射、環境汚染物質、塩、塩素、他のスイミングプール用の化学物質、無数の環境汚染物質が含まれる。さらに、屋外用家具は、汚れた染みに対する潜在能力を持つあらゆる種類の物質または構造物の材質を劣化させるあらゆる種類の物質と接触し、その物質には汚れ、葉、樹液、花粉と、植物、鳥の糞、カビ、白カビ、および、他の菌類、バクテリア、ペットの毛、飲食物、ナチュラルスキンケアオイル、ボディローション、化粧品、より多くの物からの残骸とが含まれる。課題に加えて、これらの条件は、米国のさまざまな地域、さまざまな国、および季節によって大幅に異なる。従来の屋外用家具は、特定の地域や季節周期に合わせて設計されていない。それにもかかわらず、従来の屋外用家具製品はすべての条件で使用されている。
【０００５】
このような広範囲の過酷な条件に耐えるために必要な要件を満たすために、一部の従来の屋外用家具は非常に耐久性のある材料で作られている。この耐久性は、多くの場合、硬く、剛性がある、重い材料の特性と相関している。そのような材料はしばしば高価である。従来の家具のデザインとは対照的に、顧客はあまり高価ではないが、快適で使い易い製品を好む。したがって、環境性能の要件と顧客の要求とはしばしば矛盾する。
【０００６】
これらの対立のバランスをとるために、伝統的な家具デザイナーは２つのアプローチのうちの1つを取る。第１のアプローチは、強く、頑丈で、硬いが、水を吸収しない製品を設計することである。一例は、完全にアルミニウムで作られた椅子である。丈夫で軽量、非吸収性で、相対的に不活性（耐食性）の材料で作られるので、アルミニウム製の椅子は、屋外で多くの季節に耐えることができる。このアプローチは快適さの欠如に悩まされ、審美的に制限される可能性がある。
【０００７】
第２のアプローチは、柔らかく快適な材料を使用して悪天候からその材料を保護するためのカバーを必要とする製品を設計することである。この一例としては、フォーム（発砲）クッションとファブリック（布製）クッションカバーとを備える屋外ソファであって、製品が多くの季節を乗り切るために使用の合間に大きな「レインカバー」を家具の上に配置する必要がある屋外ソファである。このアプローチでは、家具を維持するためにはるかに多くのユーザの努力が必要とされる。レインカバーは大きくてかさばり、保管場所と、使用するたびにその後に家具を覆う時間および労力とが必要である。カバーは、濡れたり汚れたりする可能性があり、家具を覆うために２人を必要とする。これらの不便さのため、屋外用家具の所有者は、所有権の最も苛立たしく嫌いな側面の1つとして、レインカバーの使用を頻繁に説明する（レインカバーの使用は季節毎にほんの数回に制限されることがよくある）。しかしながら、レインカバーを使用しないと、これらの製品の寿命を大幅に短くし、所有者が濡れた、汚れた、多くの場合にカビの生えた家具を押し付けられるので限定的な使用を非常につまらなくする。このようなレインカバーを使用することの不便さ、またはカバーの欠如により、多くの所有者が、使用の間に家具全体またはクッションや枕などの家具コンポーネント全体を保管する気にさせる。保管場所は、ガレージ、小屋、天幕、またはその他の生活空間の貴重なスペースを占める。汚れて積み重ねられたクッションは体裁が悪い。また、家具やコンポーネントを保管場所との間で運ぶには、時間と労力（通常は複数回の移動）が必要であり、製品が濡れているか汚れていると不快になる。
【０００８】
既存の設計アプローチはどちらも、満足のいく顧客をもたらさない。このため、屋外用家具の所有者は、家具に対する不満を頻繁に説明し、最終的には家具の使用と屋外スペースの楽しみとを制限する。
【発明の概要】
【発明が解決しようとする課題】
【０００９】
本開示の様々な例は、カバー部分、細長い布、第１の結合機構、および第２の結合機構を含む保護カバーに向けられている。カバー部分はシートクッション用である。細長い布はカバー部分から伸びている。第１の結合機構は、カバー部分を細長い布の第１の端部に結合する。第２の結合機構は、カバー部分を細長い布の第２の端部に結合するように構成される。
【００１０】
いくつかの例では、第１の結合機構は、オスおよびメスのコネクタ、面ファスナー、ベルクロ、接着要素、縫い付けられた縫い目、およびジッパーのいずれかを含む。
【００１１】
いくつかの例では、保護カバーは、細長い布の第２の端部に近接して配置されたハンドルをさらに含む。
【００１２】
いくつかの例では、第２の結合機構は、細長い布の第２の端部に取り付けられた強磁性ロッドを含む。第２の結合機構は、カバー部分に取り付けられた少なくとも１つの磁石をさらに含む。細長い布がカバー部分の周りに第１の方向に巻き付けられたときに、磁石は、カバー部分に配置されてロッドの位置に対応する。
【００１３】
いくつかの例では、磁石およびロッドは、カバー部分、クッション、および第２のクッションの重力質量よりも強い（大きな）磁力を提供する。
【００１４】
いくつかの例では、カバー部分はクッションを受け入れるように構成されている。
【００１５】
いくつかの例では、細長いカバーの長さは、カバー部分がクッションを受け取ったときのカバー部分と第２のクッションとの両方を巻き付けるのに十分である。
【００１６】
いくつかの例では、保護カバーは耐候性合成材料を含む。
【００１７】
いくつかの例では、第１の結合機構はジッパーを含み、第２の結合機構はベルクロを含む。
【００１８】
本開示の別の実施形態は、背もたれ部分およびシート（座席）部分を備えた椅子と、シートクッションと、背もたれクッションと、保護カバーとを備える椅子システムを提供する。
【００１９】
いくつかの例では、第１の結合機構はジッパーを含み、第２の結合機構はベルクロを含む。
【００２０】
いくつかの例では、第２の結合機構は、細長い布の第２の端部にロッドと、カバーの第２の端部に少なくとも１つの磁石とを含む。
【００２１】
いくつかの例では、磁石およびロッドは、カバー部分、クッション、および第２のクッションの重力重量よりも強い（大きな）磁力を提供する。
【００２２】
いくつかの例では、カバー部分は、第１のクッションを受け入れるように構成される。
【００２３】
いくつかの例では、細長いカバーの長さは、カバー部分が第１のクッションを受け入れたときに、第２のクッションとカバー部分との両方を巻き包むのに十分である。
【００２４】
いくつかの例では、第１の結合機構は、オスおよびメスのコネクタ、面ファスナー、ベルクロ、接着要素、縫い付けられた縫い目、およびジッパーのうちの少なくとも１つを含む。
【００２５】
いくつかの例では、保護カバーは、細長い布の第２の端部に近接して配置されたハンドルを含む。
【００２６】
いくつかの例では、カバー部分は、細長い布がカバー部分の周りに第１の方向に巻き付けられたときのロッドの位置に対応する少なくとも１つの磁石を含む。
【００２７】
いくつかの例では、保護カバーは耐候性合成材料を含む。
【００２８】
いくつかの例では、保護カバーおよび背もたれ部分は、第３の結合機構と取り外し可能に結合するようにさらに構成される。
【００２９】
上記の要約は、本開示の各実施形態またはすべての態様を表すことを意図するものではない。むしろ、前述の要約は、本明細書に記載されたいくつかの新規な態様および特徴の例を単に提供するにすぎない。上記の特徴および利点、ならびに本開示の他の特徴および利点は、添付の図面および添付の特許請求の範囲に関連して取られた場合、本発明を実施するための代表的な実施形態およびモードの以下の詳細な説明から容易に明らかになろう。
【図面の簡単な説明】
【００３０】
添付の図面は、本発明の実施形態を例示し、説明とともに、本発明の原理を説明および例示する働きをする。図面は、例示的な実施形態の主要な特徴を図式的に説明することを意図している。図面は、実際の実施形態のすべての特徴を描写することまたは描写された要素の相対的寸法を表現することを意図しておらず、一定の縮尺で描かれていない。
【図１Ａ】本開示の一実施形態による、第１の位置に固定された例示的な椅子およびカバー装置を示す。
【図１Ｂ】本開示の一実施形態による、第２の位置に固定された例示的な椅子およびカバー装置を示す。
【図２Ａ】本開示の一実施形態による、第１のユーザ構成における例示的な椅子およびカバー装置を示す。
【図２Ｂ】本開示の一実施形態による、第２のユーザ構成における例示的な椅子およびカバー装置を示す。
【図３Ａ】本開示の一実施形態による、例示的な椅子およびカバー装置の背面図を示す。
【図３Ｂ】本開示の一実施形態による、例示的な椅子およびカバー装置の別の背面図を示す。
【図４】本開示の一実施形態による、運搬構成における例示的なカバー装置を示す。
【図５】側面部分を備えた一体型カバー装置を示す。
【図６Ａ】本開示の一実施形態による、第１のユーザ構成における例示的な組み立て式の椅子システムを示す。
【図６Ｂ】本開示の一実施形態による、中間保管（格納）構成における例示的な組み立て式の椅子システムを示す。
【図６Ｃ】本開示の一実施形態による、保管構成における例示的な組み立て式の椅子システムを示す。
【図７Ａ】本開示の一実施形態による、テーブル用のカバー装置の例示的な実施形態の上面図を示す。
【図７Ｂ】本開示の一実施形態による、図７Ａのカバー装置の側面図を示す。
【図７Ｃ】本開示の一実施形態による、カバー装置が拡張された場合での図７Ａのカバー装置の側面図を示す。
【図７Ｄ】本開示の一実施形態による、カバー装置が拡張され場合での図７Ａのカバー装置の別の側面図を示す。
【図８Ａ】本開示の実施形態による、後退（引っ込み）位置にある別の例示的なカバー装置を示す。
【図８Ｂ】本開示の一実施形態による、伸長位置にある図８Ａの例示的なカバー装置を示す。
【図９Ａ】本開示の一実施形態による、例示的なオットマン（足載せ台）システムを示す。
【図９Ｂ】本開示の一実施形態による、カバー部分が拡張位置にある場合での図９Ａの例示的なオットマンシステムを示す。
【図９Ｃ】本開示の一実施形態による、カバー部分が保管蓋に格納された場合での図８の例示的なオットマンシステムを示す。
【図１０Ａ】本開示の一実施形態による、例示的なラウンジチェアクッション装置を示す。
【図１０Ｂ】本開示の一実施形態による、クッションが折り畳まれた場合での図１０Ａの例示的なラウンジチェアクッション装置を示す。
【図１０Ｃ】本開示の一実施形態による、クッションが運ばれるように構成された場合での図１０Ａの例示的なラウンジチェアクッション装置を示す。
【図１１】本開示の一実施形態による、例示的なクッション格納システムを示す。
【図１２】本開示の一実施形態による、例示的な角度付きクッションカバーを示す。
【図１３】本開示の一実施形態による、アームチェアの例示的な完全なカバーを示す。
【図１４Ａ】本開示の一実施形態による、例示的なオットマンカバーを示す。
【図１４Ｂ】本開示の一実施形態による、例示的なオットマンカバーを示す。
【図１５】本開示の実施形態による、別の例示的なオットマンカバーを示す。
【発明を実施するための形態】
【００３１】
本発明は、添付の図を参照して説明され、同様の参照番号が、類似または同等の要素を指定するために図全体で使用されている。図は一定の尺度で描かれておらず、本発明を説明するためだけに提供されている。本発明のいくつかの態様は、説明の例示的な適用を参照して以下に説明される。本発明の完全な理解を提供するために、多数の具体的な詳細、関係、および方法が説明されていることを理解されたい。しかしながら、関連技術の当業者は、本発明が１つまたは複数の具体的な詳細なしでまたは他の方法で実施され得ることを容易に認識するであろう。他の例では、本発明を曖昧にすることを避けるために、周知の構造または操作は詳細に示されていない。いくつかの作用（行為、動作）が異なる順序で発生し、および／または他の作用またはイベントと同時に発生する可能性があるため、本発明は、作用またはイベントの図示された順序によって制限されない。さらに、本発明による方法論を実施するために、図示されたすべての作用またはイベント（事象）が必要とされるわけではない。
【００３２】
本開示は、快適性、耐久性、清潔さ、保守、および利便性を提供する屋外用家具装置に向けられている。本開示の例示的な装置は、顧客が屋外用家具のクッションを悪天候から迅速かつ容易に覆い隠すことを可能にする一体化されたジップオン／ジップオフ（ファスナー付き／無し）カバーを提供する。カバー構成の場合、カバーは背もたれとシートクッションの両方を覆い、任意に面ファスナーを介してシートクッションの底部に固定され得る。いくつかの例では、カバーがクッションの前面にぶら下がっている。いくつかの例では、カバーは磁石で家具の前面に吊り下げ位置で固定されている。使用しないとき、カバーは、見えない所だが、素早い展開を容易にする背もたれクッションの後ろに収納され得る。いくつかの例では、背もたれクッションの後ろへの収納は、（１）剛性のある内部部材の周りにカバーを転がし、（２）巻かれたカバーをシートクッションの上部後端に置き、（３）背もたれクッションを交換することによって行われる。いくつかの例では、カバーは椅子またはソファの後ろに掛けられている。
【００３３】
したがって、本開示は、別個のレインカバーを必要とせずに、環境からクッションを保護する迅速かつ簡単な方法を提供する。それ故に、本開示は、屋外用家具クッションを悪天候から早くかつ容易に保護するためのシステムおよび装置を提供する。
【００３４】
図１Ａは、本開示の一実施形態による、第１の位置１００Ａにある例示的な椅子システム１００を示している。椅子システム１００は、椅子１０２、一体型カバー装置１０４、小さなクッション１０６、大きなクッションカバー１０８、第１の取り付け点１１０、第２の取り付け点１１２、ハンドル１１４、一枚の細長い布１１６、受け入れ部分１１８、および第３の取り付け点１２０を備える。
【００３５】
一体型カバー装置１０４は、椅子１０２上に置かれるように構成される。一体型カバー装置１０４は、大きなクッションカバー１０８用のカバー部分と、一枚の細長い布１１６とを含む。細長い布１１６と大きなクッションカバー１０８用のカバー部分は、布１１６を大きなクッションカバー１０８に結合するための様々な結合機構を有することができる。
【００３６】
例えば、第１の結合機構は、位置１１０、すなわち細長い布１１８の第１の端部と大きなクッションカバー１０８の第１の端部との間の接合部で見出され得る。いくつかの例では、第１の結合機構は、接着剤、テープ、縫い付けられた縫い目、または当技術分野で知られている他の任意の永久的または半永久的な取り付け機構を含む、永久的または半永久的な取り付け機構である。他の例では、結合機構は、オスおよびメスのコネクタ、面ファスナー、ベルクロ、接着要素、スナップ、ボタン、さねはぎ継ぎ、磁石、およびジッパーを含む、取り外し可能な結合機構である。取り外し可能な結合機構により、細長い布１１８と大きなクッションカバー１０８とを保管および／または洗浄のために分離することができる。
【００３７】
第２の結合機構は、位置１１２および１２０に一対の機構を含み、細長い布１１６の第２の端部を大きなクッションカバー１０８に結合する。いくつかの例では、結合機構は、細長い布１１６上の位置１１２にロッドを含む。ロッドは強磁性体でできている。いくつかの例では、ロッドは、一体型カバー１０４の全幅にまたがり、細長い布１１６の前縁に縫い付けられた鋼棒である。鋼棒には、錆びつくのを防止するために粉体塗装仕上げがなされている。他の例では、ロッドはプラスチックでできている。他の例では、ロッドは平板または複数の小さなおもりである。
【００３８】
第２の結合機構は、大きなクッションカバー１０８の底部の位置１２０に１つまたは複数の磁石をさらに含む。いくつかの例では、磁石は、大きなクッションカバー１０８の下側に埋め込まれ、前縁１０８ａに平行である。位置１２０は、細長い布が小さなクッション１０６および大きなクッションカバー１０８の周りを包んだときに、細長い布１１６の端部が位置１２０に直接隣接するように配置されている。したがって、この磁気結合機構は、自動磁気結合を介して、細長い布１１６と大きなクッションカバー１０８との間の便利な結合を可能にする。
【００３９】
他の例では、第２の結合機構は、オスおよびメスのコネクタ、面ファスナー、ベルクロ、接着要素、スナップ、ボタン、さねはぎ継ぎ、磁石、およびジッパーを含む、当技術分野で知られている任意の取り外し可能な結合機構である。
【００４０】
大きなクッションカバー１０８は、例えば、受け取り部分１１８に沿ったジッパーを通してクッションを受け入れる。大きなクッションカバー１０８は、シートクッションを受け入れることができる。小さなクッション１０６は、後部座席のクッションにすることができる。
【００４１】
細長い布１１６は、大きなクッションカバー１０８および小さなクッション１０６の幅および深さを完全に覆うことを可能にする寸法を有する布の全長である。例えば、細長い布１１６の第１の端部（例えば、位置１１０）から第２の端部（例えば、位置１１２）までの長さは、以下を行うのに十分な長さである：（１）小さなクッション１０６および大きなクッションに亘って巻き付く（クッションを受け取ったとき）;（２）大きなクッションカバー１０８の前部１０８ａを覆う；（３）細長い布１１６の第２の端部を、位置１２０で、大きなクッションカバー１０８上に配置された結合機構に固定するのに十分なほど大きなクッションカバー１０８の下に巻き付く。いくつかの例では、細長い布１１６は、単に小さなクッション１０６の重さとカバー１０８に収容されたクッションとによって固定されている。
【００４２】
いくつかの例では、細長い布１１６の幅は、大きなクッションカバー１０８の幅、および、大きなクッションカバー１０８と小さなクッション１０６との高さ１０８よりも広い（大きい）。瞬間的に図５を参照すると、細長い布１１６は、クッション１０６および１０８を保護するために、クッション１０６および１０８全体を覆う。例えば、細長い布１１６は、大きなクッションカバー１０８および小さなクッション１０６の高さ１０８に等しい長さを有するサイドパネル１１６ａを含む。
【００４３】
いくつかの例では、細長い布１１６および大きなクッションカバー１０８には、耐水性と強力な耐汚染性とを備えたコーティングが施されている。小さなクッション１０６は同
じ布でできている。いくつかの例では、布は、色あせ耐性、モールド（鋳型）耐性、およびカビ耐性を有する溶液染色布である。いくつかの例では、布はリサイクル可能な溶液染色されたオレフィンポリマー糸から織られている。この糸は、ＵＶ（紫外線）照射で色あせることに耐性があり、耐摩耗性、耐汚染性、モールド耐性、およびカビ耐性を有する。他の例では、布には、装飾的なデザインが含まれ、または、テキスト／グラフィックの指示またはユーザ体験を向上させるための他の視覚的な刺激が含まれている。いくつかの例では、リサイクル可能ではなく、または、退色、摩耗、および／または汚れに対して耐性がある布のために、より低コストの材料が使用される。いくつかの例では、布は、アクリル、ポリエステル、ナイロン、およびそれらの任意の組み合わせのいずれかを含む合成材料から作られている。
【００４４】
いくつかの例では、大きなクッションカバー１０８の底部（すなわち、椅子１０２に直接隣接する大きなクッションカバー１０８の部分）は、ポリウレタンまたはゴムなどの防水材料でコーティングされている（覆われている）。
【００４５】
したがって、図１Ａは、一体型カバー装置１０４が、背もたれクッション（例えば、クッション１０８）およびシートクッション（例えば、クッション１０６）に保護バリアを提供し、それによってクッションの寿命を延ばす方法を示している。特に、細長い布１１６は、クッション全体またはクッションカバー１０８全体を交換する、より低コストの代替手段を提供する。単に細長い布１１６のファスナーを開けてそれを交換することにより、ユーザは、一体型カバー１０４を交換する、費用効果の高い代替手段を有する。
【００４６】
図１Ｂは、本開示の一実施形態による、第２の位置１００Ｂに固定された図１Ａの例示的なシステム１００を示す。図１Ｂは、図１Ａと同様の構成要素および同一のラベルを含む。加えて、図１Ｂは、椅子１０２の前縁に沿った磁石１２２を示している。いくつかの例では、椅子１０２は、椅子の幅に沿ってレール（横棒）を含み、レールは、細長い布１１６の第１の縁部１１２に沿ってロッドと結合するように構成された複数の磁石を含む。図１Ｂは、ユーザが細長い布１１６を小さなクッション１０６および大きなクッションカバー１０８上に単におろす場合であって、ユーザが手作業でカバーを固定する必要なしに磁気接続により細長い布１１６が自動的に固定される場合での固定位置１００Ｂを示す。細長い布１１６の前縁１１２の幅に沿ったロッドは、自動磁気接続を容易にするために、細長い布１１６をさらに平ら（すなわち、覆うように折り畳まれない）に保っている。
【００４７】
したがって、図１Ａ−図１Ｂは、クッションの上に細長い布を固定することにより、自然環境から家具を保護するために便利で手間のかからない方法を椅子とカバー装置に提供する。細長い布１１６は、小雨、朝露、ほこり、砂、花粉、鳥の糞、紫外線、および他の環境要素から小さなクッション１０６および大きなクッションカバー１０８を保護する。細長い布１１６は、これらの悪天候からの負荷の軽い保護を提供し、さらに、テラス（中庭）の家具を覆うのに必要な時間を短縮する。その結果、家具は、清潔で乾燥し、多くの季節にすぐに使える状態のままである。
【００４８】
図２Ａは、本開示の一実施形態による、第１のユーザ構成２００Ａにおけるシステム１００の側面図を示す。図２Ａは、図１Ａと同様の構成要素および同一のラベルを含む。図２Ａはさらに、椅子１０２の背もたれ２０２および椅子１０２の座席部分２０４を示している。構成２００Ａでは、小さなクッション１０６は、背もたれ２０２に対して配置（位置決め）されている。細長い布１１６は、位置１１２および小さなクッション１０６の後ろの位置でロッドの周りに巻かれている。したがって、構成２００Ａでは、ユーザは、細長い布１１６からの干渉なしに椅子１０２に座ることができる。さらに、小さなクッション１０６の後ろに細長い布１０２をきちんと収納することは、審美的に心地よい外観を提供する。
【００４９】
いくつかの例では、細長い布１１６は、細長い布１１６が別の位置で結合されていないとき（例えば、図１Ａおよび図１Ｂに示されるように、位置１２２または１２０でそれぞれ結合されているとき）、構成２００Ａに自動的に後退するように構成される。例えば、細長い布１１６は、ばね機構を介して自動的に後退する。
【００５０】
図２Ｂは、本開示の一実施形態による、第２のユーザ構成２００Ｂにおけるシステム１００の側面図を示す。図２Ｂは、図２Ａと同様の構成要素および同一のラベルを含む。構成２００Ｂでは、細長い布１１６が、椅子１０２の背もたれ２０２に亘って完全に延在して示されている。いくつかの例では、ロッド１１２は、構成２００Ｂにおいて細長い布１１６で重さを付けられた状態に保つための重りとして機能する。位置１１０と１１２との間の細長い布１１６の長さは、細長い布の前縁１１２が椅子１０２の端部２０６に到達しないように十分に短い。
【００５１】
図３Ａは、本開示の一実施形態による、構成３００Ａにおけるシステム１００の背面図を示す。図３Ａは、図２Ａ−図２Ｂと同様の構成要素および同一のラベルを含む。いくつかの例では、構成３００Ａは、図２Ｂの構成２００Ｂの背面図を示す。図３Ａは、細長い布１１６の全幅３０２を示している。構成３００Ａは、細長い布１１６が椅子１０２の背もたれ２０２の周りに巻き付けられる位置を示している。例えば、ユーザは、椅子の前部に座ることができる（図２Ａ−２Ｂに示されるように）。さらに、位置１１２のロッドは、上で論じた実施形態によれば、構成３００Ａの細長い布１１６をさらに固定するために、細長い布１１６に重りを提供する。
【００５２】
図３Ｂは、本開示の一実施形態による、構成３００Ｂにおけるシステム１００の別の背面図を示す。図３Ｂは、図２Ａ−図２Ｂと同様の構成要素および同一のラベルを含む。いくつかの例では、構成３００Ｂは、図２の構成２００Ｂの背面図を示す。図３Ｂはさらに、細長い布１１６の下端１１２に沿った複数の結合機構３３０を示している。これらの結合機構３３０は、背もたれ２０２（図示せず）上の対応する要素と結合する。いくつかの例では、これらの結合機構３３０は、背もたれ２０２に沿って別の磁気要素と結合する磁石である。他の例では、これらの結合機構３３０は、オスおよびメスのコネクタ、面ファスナー、ベルクロ、接着要素、スナップ（留め金）、ボタン、さねはぎ継ぎ、およびジッパーを含む、当技術分野で知られている任意の取り外し可能な結合機構である。
【００５３】
図４は、本開示の一実施形態による、運搬構成４００におけるシステム１００を示している。図４は、図１Ａ−図１Ｂと同様の構成要素および同一のラベルを含む。構成４００は、細長い布１１６の端部１１２が位置１２０で大きなクッションカバー１０８と結合されている、図１の位置１００Ａに対応する。それにより、一体型カバー１０４は、ハンドル１１４によってユーザにより持ち運ばれ得る。構成４００では、クッション１０６および１０８の向きは、２セット以上のクッションを手で持ち運び可能にするために垂直である。
【００５４】
いくつかの例では、ハンドル１１４は、細長い布１１６と同じ布で作られている。他の例では、ハンドル１１４は、ウェビング、プラスチック、または他の材料から作られている。いくつかの例では、ハンドルは、追加的な特徴を組み込み可能である、固定された（硬い）構成要素である。他の例では、ハンドルは、細長い布１１４に積層または接着されている。
【００５５】
したがって、構成４００は、一体型カバー１０４をキャリングケースとしてどのように使用して、ユーザがクッション１０６および１０８を容易に運ぶことができ、それにより、ユーザが複数の一体型カバーを保管する必要がある場合の保管場所への往復の回数を最小限に抑えるのかを示す。構成４００はさらに、保管中に、細長い布１１６が小さなクッション１０６および大きなクッションカバー１０８を汚れから保護することを示している。加えて、構成４００は、複数のシステム１００をきちんと均一な方法で編成するのに役立つ。いくつかの例では、一体型カバー１０４は、ハンドル１１４によって吊るされている。
【００５６】
特定の椅子装置が上記のような図１Ａ−図５に示されているが、本開示は、当技術分野で容易に明らかであるように、一体型カバー１０４を使用して任意の椅子装置に容易に適合させることができることを意図する。例えば、一体型カバー１０４は、外装家具、内装家具、布団、ソファ、ラブシート、ラウンジチェア、および他の任意の座席装置に適合した寸法を有することができる。
【００５７】
長椅子用の組み立て式の構成部品
図６Ａ−図６Ｃは、本開示の一実施形態による、例示的な組み立て式の椅子システム６００を示している。椅子システム６００は、背もたれクッション６０２、６０４、および６０６と、椅子フレーム６０８と、シートクッション６１０、６１２、および６１４と、布カバー６１６と、ハンドル６１８とを備える。当業者によって容易に理解されるように、開示された一体型カバーは、複数の背もたれクッション６０２、６０４、６０６およびシートクッション６１０、６１２、６１４を備えた椅子システムに適合させることができる。図１−図５に示される椅子システムの任意の例および追加の特徴は、システム６００において提供され得る。図６Ａは、背もたれクッション６０２、６０４、および６０６が椅子フレーム６０８にもたせかけられ、システム６００へのユーザの着席するまたはもたれかかる（ぐったり横になる）機会を可能にする位置（状態）６００Ａを示している。図６Ｂは、背もたれクッション６０２、６０４、および６０６がシートクッション６１０、６１２、および６１４に対して横たわる中間位置（中間状態）６００Ｂを示している。図６Ｃは、布カバー６１６が背もたれクッション６０２、６０４、６０６およびシートクッション６１０、６１２、６１４に亘って張られた、カバー位置（カバー状態）６００Ｃを示している。
【００５８】
テーブル装置
図７Ａ−７Ｄは、テーブル用のカバー装置７００の例示的な実施形態を示す。図７Ａ−図７Ｄは、以下を含むテーブルシステム７００の様々な角度を示す：（１）カバー装置が図７Ａにおいて張られていない上面図７００Ａ；（２）図７Ｂおいてカバー装置が張られていない側面図７００Ｂ；（３）図７Ｃにおいてカバー装置が張られた側面図７００Ｃ；（４）図７Ｄにおいてカバー装置が張られた横側面図７０Ｄ。図７Ａ−図７Ｄで示されるように、システム７００は、上部７０２を備えたテーブル７０１と、テーブル開口部７０４と、カバーハウジング７０６と、カバー部分７０８と、ジッパー（チャック）７１０とを備える。
【００５９】
カバーハウジング７０６は、テーブル上部７０２の下に取り付けられる。カバー部分７０８は、カバーハウジング７０６内に完全に格納される。
【００６０】
図７Ｃ−図７Ｄで示されるように、カバー部分７０８は、テーブル上部７０２を包み、安全なカバーを提供するためにジッパー７１０に沿ってジッパーで開閉され得る。
【００６１】
いくつかの例では（図示せず）、カバー部分７０８は、テーブル上部７０２の外縁に沿っていくつかの場所のうちの１つに付着する。第１の例では、カバー部分７０８は、テーブル上部７０２の下に付着する（図１Ａに示されるように、椅子のクッションの下に付着するのと同様）。別の例では、カバー部分７０８は、テーブル上部７０２の縁に引っ掛けられ、張力（引っ張り力）を維持してカバー部分７０８をそのような位置（状態、姿勢）に保つために、カバー部分７０８の外縁に沿って弾性部分を有する。別の例では、カバー部分７０８は、テーブル７０１の角に付着し（取り付けられ）、ポケットに押し込まれる。カバー部分７０８の縁に沿った弾性部分は、張力をさらに維持し、カバー部分７０８をそのような位置（状態、姿勢）に固定できる。別の例では、カバー部分７０８はテーブル７０１に取り付けられず、代わりに重みの付いた端部に掛けられている。別の例では、カバーハウジング７０６の近くのカバーに重さを加えることによって、カバー部分７０８に張力が提供される。
【００６２】
図７Ｃおよび図７Ｄに示されるように、カバーハウジング７０６は、カバー部分７０８に角度の付いた表面を提供するために反転され得る。したがって、破片、水、花粉、ほこり、および氷は、カバーハウジング７０６に角度を付けることにより、カバー部分７０８から滑り落ちる可能性がある。
【００６３】
図８Ａ−図８Ｂは、後退位置（図８Ａの８００Ａ）および伸長位置（図８Ｂの８００Ｂ）にある別の例示的なカバー装置８００を示す。カバー装置８００は、テーブル８０２、ローラーシェード機構８０４および８０６、ならびにカバー８０８を含む。この実施形態では、カバー８０８は、１つのローラーシェード機構８０４からテーブル８０２に亘って伸長し、テーブル８０２の反対側の端部で別のローラーシェード機構８０６に取り付けられる。いくつかの例では、カバー８０８は、カバー８０８が張られていないときにローラーシェード機構８０４および８０６に自動的に格納されるばね巻き機構（例えば、ブラインドのような）上にある。
【００６４】
ユーザは、テーブルの表面を清潔に保つことを好むことがよくあり、特に、表面は環境条件に敏感である。図７Ａ−８Ｂに示すカバー装置は、テーブルを保護する。カバー装置の追加の詳細および実施形態は、図１−５に開示されたカバー装置に関して上記のとおりであり得る。特定のテーブルが図７Ａ−８Ｂに示されているが。本開示は、カバー装置が任意のテーブルに対して容易に変更され得ることを意図している。
【００６５】
長椅子（オットマン）
図９Ａ−図９Ｃは、長椅子システム９００用に使用される本開示の例示的な実施形態を示す。長椅子システム９００は、クッション部分９０２、ハンドル９０４、カバー部分９０６、長椅子本体９０８、ロッド９１０、および格納フラップ９１２を備える。図９Ａは、クッション部分９０２およびカバー部分９０６が長椅子本体９０８から分離した位置（状態、姿勢）９００Ａを示している。図９Ｂは、カバー部分９０６がクッション部分９０２に亘って伸長した位置（状態、姿勢）９００Ｂを示している。図９Ｃは、カバー部分９０６が格納フラップ９１２に格納された位置（状態、姿勢）９００Ｃを示している。
【００６６】
例えば、カバー部分９０６は、クッション部分９０２の下側に取り付けられている。ユーザは、クッション部分９０２を持ち上げて、収納されたカバー部分９０６を利用することができる。ユーザは、カバー部分９０６をクッション部分の縁の底部に巻き付けて固定し、または、単にカバー部分９０６をクッション部分９０２の側面に掛けることができる（図９Ｂに示すように）。
【００６７】
システム９００（図示せず）のいくつかの例では、カバー部分９０６は、中央で交わり、面ファスナー（ベルクロ）で一緒に固定する２枚のカバーである。保管のために、クッション部分９０２を裏返すことができ、次にカバー部分９０６の第１の部分を平らに置くことができ、カバー部分９０６の第２の部分を第１の部分の上に置いてベルクロまたは取り外し可能な結合要素で固定することができる。
【００６８】
いくつかの例では、図９Ｃに示されるように、クッション部分の下側が、格納フラップ９１２を有している。格納フラップ９１２は、カバー部分９０６が使用されていないときに押し込むポーチまたは格納ポケットとして構成され得る。システム９００（図示せず）の別の例では、フラップ、ポケット、またはポーチとしての垂直パネル（例えば、パネル９０２ａ）には、カバー部分９０６が、使用されていないときに押し込まれる。
【００６９】
長椅子システム９００の任意の追加の例は、図１Ａ−図５の椅子システムに関して上で論じたような特性および特徴を含むことができる。例えば、ロッド９１０およびハンドル９０４は、図１Ａ−図５の椅子システムのロッドおよびハンドルに対応することができる。
【００７０】
プールサイドラウンジチェア
図１０Ａ−図１０Ｃは、クッション装置１０００がラウンジチェアに提供される、本開示の例示的な実施形態を示す。たとえば、ラウンジチェアはプールチェアにすることができる。装置１０００Ａは、複数のクッション１００２、１００４、および１００６と、背もたれ１０１０および本体部分１０１２を備えた椅子１００８と、ハンドル１０１４と、圧延布カバー１０１６とを含む。
【００７１】
図１０Ａは、クッション装置１０００が椅子１００８に沿って完全に伸ばされている位置（状態、姿勢）１０００Ａを示す。図１０Ｂは、クッション装置が状態１０００Ｂに折りたたまれている位置（状態、姿勢）１０００Ｂを示す。図１０Ｃは、クッション装置１０００がハンドル１０１４によって運ばれるように構成されている位置（状態、姿勢）１０００Ｃを示す。
【００７２】
圧延布カバー１０１６は、上で論じたように、細長い布１１６と同様であり得る。例えば、圧延布カバー１０１６は、椅子全体を覆うのに十分な長さであり得る。いくつかの例では、圧延布カバー１０１６は、巻き上げられ、ポケット内にまたはヘッドレスト領域（図示せず）の裏側のフック／棚に収納される（図示せず）。
【００７３】
クッション１００２、１００４、１００６は、例えば、面ファスナー、ベルクロ、ジッパー、オスおよびメスコネクタ、スナップ、磁石、または縫い目を含む機械的結合機構と一緒に結合する。図１０Ｂ−１０Ｖは、クッション１００２、１００４、および１００６を折りたたまれた形式で示している。いくつかの例では、圧延布カバー１０１６は、クッション１００２、１００４、および１００６の外側部分を広げて完全に覆うように構成される。
【００７４】
クッション格納システム
本開示はさらに、図１に示されるように、クッション格納システム１１００を提供する。システム１１００は、椅子システム１０００Ａおよび１０００Ｃを含めた、図１０Ａ−図１０Ｃのいくつかの要素を備える。加えて、システム１１００は、格納容器１１０２を含む。
【００７５】
システム１１００は、ホテルやリゾートの設定において迅速かつ容易な家具の組み立ておよび取り壊しを提供し、ホテルのスタッフがクッションを配置して保管するのに必要な時間を短縮する。敷地にプールまたはビーチフロントを備えた従来のリゾートには、ゲストのために何百もの屋外席オプションがある。毎朝、プールのスタッフは、各椅子にクッションを置くことにより各椅子を組み立てなければならない。夕方には、彼らは、各クッションを取り外して、翌日の使用のためにそれを安全に保管しなければならない。システム１１００は、各椅子の組み立て（設置）の効率を改善し、また、クッションの収集および保管を１つの可搬ユニットに組み込んでいる。
【００７６】
格納容器１１０２は、キャスター付きのクッション格納ユニットである。ユーザがその日の各椅子を組み立てるので、ユーザは、回転する格納ユニット１１０２からクッションセット１０００Ｃを取り外し、一体型カバーで囲まれたクッションを広げ（開き）、クッションを椅子の上に置いてシステム１０００Ａを用意する。1日の終わりに、ユーザは逆のプロセスに従う。第１に、ユーザは、開示された一体型カバーを使用してクッション（１０００Ｃ）を折り畳み／梱包するとともに、クッションをロッドに吊るすかまたは格納容器１１０２内の棚に置くかを行う。
【００７７】
格納容器１１０２は、車輪を含み、クッションの展開および回収をスピードアップするために横に転がすことができる。加えて、格納容器１１０２を施錠可能な格納ユニットとして使用することができる。
【００７８】
カバー装置の代替実施形態
開示されたカバー装置のいくつかの追加の実施形態では、単一のカバーがいくつかのクッションの幅にまたがって、クッションを保護する。別々のカバーが各カバー間にギャップ（隙間）を含むので、そのような装置は各クッション上の別々のカバーよりも完全な保護を提供する。図１２は、ソファ全体を覆う例示的なカバー装置１２０２を示している。例えば、カバー装置１２０２は、水、ほこり、破片、花粉、および他の外部材料が装置から滑り落ちるように、中央部分１２０４に沿って傾斜させることができる。
【００７９】
いくつかの例では、本開示は、複数のカバー間のギャップを排除するために、重なるとともに任意選択で一緒に取り付けられたいくつかの非常に広いカバーを想定している。
【００８０】
全体として、図１２は、角度の付いた天候カバーを示している。カバーは、一緒に縫い合わされて水が溜まるのを防ぐ複数の個別パネル（例えば、パネル１２０２ａ、ｌ２０２ｂ、ｌ２０２ｃ、ｌ２０２ｄ、ｌ２０２ｅ、ｌ２０２ｆ、ｌ２０２ｇ、およびｌ２０２ｈ）を含むことができる。カバー１２０２は、家具にぴったり合わされた仕上がりを提供する。
【００８１】
一部の従来の家具カバーは、フロント（前面）、バック（背面）、レフト（左側）、ライト（右側）、トップ（上端）断片を含む５断片布構造を使用して作られている。本開示は、前面、背面、左側、右側、および上端断片を含んだ、独特の７断片構造の技術と、加えて、上端断片（パネル）に対して水をはじく角度を形成する2つのくさび形の断片（パネル）とを意図している。これらのくさび形の断片は、家具に、より合わされた天候カバーを提供し、雨が天候カバーから流れ出るのを助ける設計特性として機能する。
【００８２】
本開示はさらに、カバーを容易に位置合わせして固定するジッパーを一縁に備えた完全なレインカバーを意図している。ジッパーにより、ユーザは、ファスナーを引いて開けられた縁を使用してクッションの方向を正しい方向に向け、家具の上にそれを置くことが可能になる。ひとたび位置合わせされたら、カバーは、ジッパーを引き下げることによりジッパーで締められて閉じられ得る。いくつかの例では、カバーが完全にジッパーで締められて閉じられるにつれ、カバーは、わずかに先細にされて、よりしっかりした調整（フィット）を確かにする。
【００８３】
図１３は、本開示の一実施形態による、アームチェア用の例示的な完全なカバー１３００を示している。この例では、カバーは、防水ジッパーを備えた一つ角を有する。これにより、ユーザは、カバー１３００の位置（状態、姿勢）を正しい方向に向け、それを家具の上に簡単に掛けることが可能になる。ひとたびカバー１３００が所定の位置に配置されると、ユーザは、ジッパーで締めてカバーを閉めることができる。いくつかの例では、カバー１３００は、上から下に向かって先細になっており、そのような先細りが、ひとたびジッパーで締められて閉じられると、ぴったり合った調整（フィット）を維持する。これにより、風の強い日に、家具からレインカバーを持ち上げる上昇気流が防止される。
【００８４】
図１４Ａ−図１４Ｂは、本開示の一実施形態による、例示的な長椅子カバー１４００を示す。図１４Ａ−図１４Ｂは、長椅子カバーの表面に沿ったベルクロ１４０２、およびポケット１４０４を含む。この例では、ベルクロタイプの細長い切れは、カバー１４００を固定し、ユーザにクッションを輸送することを可能にする。長椅子クッションの下側は、それが展開されていないときにカバー１４００を押し込むことができるポーチを有することができる。
【００８５】
図１５は、本開示の一実施形態による、別の例示的な長椅子カバー１５００を示している。図１５の長椅子は、クッションカバー上にインターロック機構１５０２を含む。この例では、カバー１５００が長椅子クッションの下側に取り付けられている。展開されると、棚は、その棚を閉じることができるインターロック機構を有する。
【００８６】
本発明の様々な例が上で説明されてきたが、それらは単なる例として提示されたものであり、限定されないことを理解されたい。本発明の趣旨または範囲から逸脱することなく、本明細書の開示に応じて、開示された例に多数の変更を加えることができる。したがって、本発明の広がりおよび範囲は、上記の実施例のいずれによっても制限されるべきではない。むしろ、本発明の範囲は、以下の特許請求の範囲およびそれらの同等物に従って定義されるべきである。
【００８７】
本発明が１つまたは複数の実施に関して図示および説明されてきたが、本明細書および添付の図面を読んで理解するや否や、同等の変形および変更が当技術分野の他の人に生じるだろう。加えて、本発明の特定の特徴がいくつかの実施のうちの１つのみに関して開示され得るが、そのような特徴は、任意の所与のまたは特定の用途にとって望ましくかつ有利である可能性がある他の実施の１つまたは複数の他の特徴と組み合わせることが可能である。
【００８８】
本明細書で使用される用語は、特定の例を説明することのみを目的としており、本発明を限定することを意図するものではない。本明細書で使用される場合、単数形「a」、「an」、および「the」は、文脈が明らかに他のことを示さない限り、複数形も含むことを意図している。さらに、「including（含む）」、「includes（含む）」、「having（有する）」、「has（有する）」、「with（含む）」、またはそれらの変形という用語が、詳細な説明および／または特許請求の範囲のいずれかで使用される限り、そのような用語は、「comprising（を含む）」という用語と同様の方法で包括的である。
【００８９】
本明細書で使用されるすべての用語（技術用語および科学用語を含む）は、別段の定義がない限り、本発明が属する当業者によって一般に理解されるのと同じ意味を有する。さらに、一般的に使用される辞書で定義されているような用語は、関連技術の文脈での意味と一致する意味を持っていると解釈されるべきであり、明示的に定義されていない限り、理想的または過度に形式的な意味で解釈されないだろう。
【図１Ａ】
2021524796.tif 000003
【図１Ｂ】
2021524796.tif 000004
【図２Ａ】
2021524796.tif 000005
【図２Ｂ】
2021524796.tif 000006
【図３Ａ】
2021524796.tif 000007
【図３Ｂ】
2021524796.tif 000008
【図４】
2021524796.tif 000009
【図５】
2021524796.tif 000010
【図６Ａ】
2021524796.tif 000011
【図６Ｂ】
2021524796.tif 000012
【図６Ｃ】
2021524796.tif 000013
【図７Ａ】
2021524796.tif 000014
【図７Ｂ】
2021524796.tif 000015
【図７Ｃ】
2021524796.tif 000016
【図７Ｄ】
2021524796.tif 000017
【図８Ａ】
2021524796.tif 000018
【図８Ｂ】
2021524796.tif 000019
【図９Ａ】
2021524796.tif 000020
【図９Ｂ】
2021524796.tif 000021
【図９Ｃ】
2021524796.tif 000022
【図１０Ａ】
2021524796.tif 000023
【図１０Ｂ】
2021524796.tif 000024
【図１０Ｃ】
2021524796.tif 000025
【図１１】
2021524796.tif 000026
【図１２】
2021524796.tif 000027
【図１３】
2021524796.tif 000028
【図１４Ａ】
2021524796.tif 000029
【図１４Ｂ】
2021524796.tif 000030
【図１５】
2021524796.tif 000031
【国際調査報告】
2021524796.tif 000032